【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
プロセッサと、
実行されるとき、装置に
ジャイロスコープおよび加速度計のうちの少なくとも1つからのモーションセンサデータを含む、ゴルフクラブのフェースに対するゴルフボールのインパクトから生成されたデータを受信させ、
該モーションセンサデータをフィルタリングすること、およびフィルタリングされたモーションセンサデータから応答スペクトルを生成することを含む、該インパクトデータの分析を行い、ゴルフボールとゴルフクラブのフェースとの間のインパクトの1つまたは複数の特性を決定させ、かつ
ゴルフクラブのフェース上のゴルフボールのインパクト位置を明示する出力を生成させる
コンピュータ可読命令を記憶するメモリと
を含む装置。
【請求項２】
インパクトデータの分析が、応答スペクトルをゴルフクラブフェース上の第1の位置のための第1の参照応答スペクトルと比較することを更に含む、請求項1に記載の装置。
【請求項３】
インパクトデータの分析が、応答スペクトルが第1の参照応答スペクトルに合致しないと決定されると該応答スペクトルをゴルフクラブフェース上の第2の位置のための第2の参照応答スペクトルと比較することを更に含む、請求項2に記載の装置。
【請求項４】
応答スペクトルを第1の参照応答スペクトルと比較することが、該応答スペクトルの周波数ピークの振幅を第1の参照応答スペクトルの周波数ピークの振幅と比較することを含む、請求項2に記載の装置。
【請求項５】
第1の参照応答スペクトルが、ゴルフボールを打つために使用されるゴルフクラブのタイプおよびゴルフボールを打つために使用されるゴルフクラブのモデルのうちの少なくとも1つに基づいて、複数の第1の参照応答スペクトルから選択される、請求項4に記載の装置。
【請求項６】
応答スペクトルの生成がFFTを使用して行われる、請求項1に記載の装置。
【請求項７】
モーションセンサデータが、ゴルフクラブに取り付けられたジャイロスコープからのセンサデータを含む、請求項1に記載の装置。
【請求項８】
応答スペクトルが、ジャイロスコープまたは加速度計からのセンサ信号の周波数、および各周波数における対応する振幅を含む、請求項7に記載の装置。
【請求項９】
モーションセンサデータが、ゴルフクラブに取り付けられた複数のジャイロスコープからのセンサデータを含む、請求項7に記載の装置。
【請求項１０】
モーションセンサデータが、ゴルフクラブに取り付けられた加速度計からのセンサデータを含む、請求項1に記載の装置。
【請求項１１】
出力の生成が、ゴルフボールとゴルフクラブフェースの一部分との間のインパクト位置の指示を生成することを含む、請求項1に記載の装置。
【請求項１２】
ジャイロスコープおよび加速度計のうちの少なくとも1つからのモーションセンサデータを含む、ゴルフクラブのフェースに対するゴルフボールのインパクトから生成されたデータを、コンピューティングデバイスによって受信する段階、
該モーションセンサデータをフィルタリングすること、およびフィルタリングされたモーションセンサデータから応答スペクトルを生成することを含む、該インパクトデータの分析を、コンピューティングデバイスによって行い、ゴルフボールとゴルフクラブのフェースとの間のインパクトの1つまたは複数の特性を決定する段階、ならびに
ゴルフクラブのフェース上のゴルフボールのインパクト位置を明示する出力を生成する段階
を含む方法。
【請求項１３】
インパクトデータの分析が、応答スペクトルをゴルフクラブフェース上の第1の位置のための第1の参照応答スペクトルと比較することを更に含む、請求項12に記載の方法。
【請求項１４】
インパクトデータの分析が、応答スペクトルが第1の参照応答スペクトルに合致しないと決定されると該応答スペクトルをゴルフクラブフェース上の第2の位置のための第2の参照応答スペクトルと比較することを更に含む、請求項13に記載の方法。
【請求項１５】
応答スペクトルを第1の参照応答スペクトルと比較することが、該応答スペクトルの周波数ピークの振幅を第1の参照応答スペクトルの周波数ピークの振幅と比較することを含む、請求項13に記載の方法。
【請求項１６】
第1の参照応答スペクトルが、ゴルフボールを打つために使用されるゴルフクラブのタイプおよびゴルフボールを打つために使用されるゴルフクラブのモデルのうちの少なくとも1つに基づいて、複数の第1の参照応答スペクトルから選択される、請求項15に記載の方法。
【請求項１７】
応答スペクトルの生成が、FFTを使用して行われる、請求項12に記載の方法。
【請求項１８】
モーションセンサデータが、ゴルフクラブに取り付けられたジャイロスコープからのセンサデータを含む、請求項12に記載の方法。
【請求項１９】
応答スペクトルが、ジャイロスコープまたは加速度計からのセンサ信号の周波数、および各周波数における対応する振幅を含む、請求項18に記載の方法。
【請求項２０】
モーションセンサデータが、ゴルフクラブに取り付けられた複数のジャイロスコープからのセンサデータを含む、請求項18に記載の方法。
【請求項２１】
モーションセンサデータが、ゴルフクラブに取り付けられた加速度計からのセンサデータを含む、請求項12に記載の方法。
【請求項２２】
出力の生成が、ゴルフボールとゴルフクラブフェースの一部分との間のインパクト位置の指示を生成することを含む、請求項12に記載の方法。
【請求項２３】
実行されるとき、装置に請求項12〜22のいずれか一項に記載の方法を行わせるコンピュータ実行可能な命令を記憶する非一時的なコンピュータ可読媒体。
【手続補正２】
【補正対象書類名】明細書
【補正対象項目名】００１０
【補正方法】変更
【補正の内容】
【００１０】
他の局面によれば、モバイル通信デバイスが、ゴルフボールのインパクト音を検出し、様々なインパクト特性を決定するように構成され得る。一つの例において、モバイル通信デバイスは、ゴルフボールのインパクトの音を記録し、ゴルフクラブヘッドに対するゴルフボールのインパクト位置を視覚的に指示し得る。
[本発明1001]
実行されるとき、装置に
ジャイロスコープおよび加速度計のうちの少なくとも1つからのモーションセンサデータを含む、ゴルフクラブのフェースに対するゴルフボールのインパクトから生成されたデータを受信させ、
該モーションセンサデータをフィルタリングすること、およびフィルタリングされたモーションセンサデータから応答スペクトルを生成することを含む、該インパクトデータの分析を行い、ゴルフボールとゴルフクラブのフェースとの間のインパクトの1つまたは複数の特性を決定させ、かつ
ゴルフクラブのフェース上のゴルフボールのインパクト位置を明示する出力を生成させる
命令を記憶する非一時的なコンピュータ可読媒体。
[本発明1002]
インパクトデータの分析が、応答スペクトルをゴルフクラブフェース上の第1の位置のための第1の参照応答スペクトルと比較することを更に含む、本発明1001の非一時的なコンピュータ可読媒体。
[本発明1003]
インパクトデータの分析が、応答スペクトルが第1の参照応答スペクトルに合致しないと決定されると該応答スペクトルをゴルフクラブフェース上の第2の位置のための第2の参照応答スペクトルと比較することを更に含む、本発明1002の非一時的なコンピュータ可読媒体。
[本発明1004]
応答スペクトルを第1の参照応答スペクトルと比較することが、該応答スペクトルの周波数ピークの振幅を第1の参照応答スペクトルの周波数ピークの振幅と比較することを含む、本発明1002の非一時的なコンピュータ可読媒体。
[本発明1005]
第1の参照応答スペクトルが、ゴルフボールを打つために使用されるゴルフクラブのタイプおよびゴルフボールを打つために使用されるゴルフクラブのモデルのうちの少なくとも1つに基づいて、複数の第1の参照応答スペクトルから選択される、本発明1004の非一時的なコンピュータ可読媒体。
[本発明1006]
応答スペクトルの生成が、FFTを使用して行われる、本発明1001の非一時的なコンピュータ可読媒体。
[本発明1007]
モーションセンサデータが、ゴルフクラブに取り付けられたジャイロスコープからのセンサデータを含む、本発明1001の非一時的なコンピュータ可読媒体。
[本発明1008]
応答スペクトルが、ジャイロスコープまたは加速度計からのセンサ信号の周波数、および各周波数における対応する振幅を含む、本発明1007の非一時的なコンピュータ可読媒体。
[本発明1009]
モーションセンサデータが、ゴルフクラブに取り付けられた複数のジャイロスコープからのセンサデータを含む、本発明1007の非一時的なコンピュータ可読媒体。
[本発明1010]
モーションセンサデータが、ゴルフクラブに取り付けられた加速度計からのセンサデータを含む、本発明1001の非一時的なコンピュータ可読媒体。
[本発明1011]
出力の生成が、ゴルフボールとゴルフクラブフェースの一部分との間のインパクト位置の指示を生成することを含む、本発明1001の非一時的なコンピュータ可読媒体。
[本発明1012]
プロセッサと、
実行されるとき、装置に
ジャイロスコープおよび加速度計のうちの少なくとも1つからのモーションセンサデータを含む、ゴルフクラブのフェースに対するゴルフボールのインパクトから生成されたデータを受信させ、
該モーションセンサデータをフィルタリングすること、およびフィルタリングされたモーションセンサデータから応答スペクトルを生成することを含む、該インパクトデータの分析を行い、ゴルフボールとゴルフクラブのフェースとの間のインパクトの1つまたは複数の特性を決定させ、かつ
ゴルフクラブのフェース上のゴルフボールのインパクト位置を明示する出力を生成させる
コンピュータ可読命令を記憶するメモリと
を含む装置。
[本発明1013]
インパクトデータの分析が、応答スペクトルをゴルフクラブフェース上の第1の位置のための第1の参照応答スペクトルと比較することを更に含む、本発明1011の装置。
[本発明1014]
インパクトデータの分析が、応答スペクトルが第1の参照応答スペクトルに合致しないと決定されると該応答スペクトルをゴルフクラブフェース上の第2の位置のための第2の参照応答スペクトルと比較することを更に含む、本発明1013の装置。
[本発明1015]
応答スペクトルを第1の参照応答スペクトルと比較することが、該応答スペクトルの周波数ピークの振幅を第1の参照応答スペクトルの周波数ピークの振幅と比較することを含む、本発明1013の装置。
[本発明1016]
第1の参照応答スペクトルが、ゴルフボールを打つために使用されるゴルフクラブのタイプおよびゴルフボールを打つために使用されるゴルフクラブのモデルのうちの少なくとも1つに基づいて、複数の第1の参照応答スペクトルから選択される、本発明1015の装置。
[本発明1017]
応答スペクトルの生成がFFTを使用して行われる、本発明1012の装置。
[本発明1018]
モーションセンサデータが、ゴルフクラブに取り付けられたジャイロスコープからのセンサデータを含む、本発明1012の装置。
[本発明1019]
応答スペクトルが、ジャイロスコープまたは加速度計からのセンサ信号の周波数、および各周波数における対応する振幅を含む、本発明1018の装置。
[本発明1020]
モーションセンサデータが、ゴルフクラブに取り付けられた複数のジャイロスコープからのセンサデータを含む、本発明1018の装置。
[本発明1021]
モーションセンサデータが、ゴルフクラブに取り付けられた加速度計からのセンサデータを含む、本発明1012の装置。
[本発明1022]
出力の生成が、ゴルフボールとゴルフクラブフェースの一部分との間のインパクト位置の指示を生成することを含む、本発明1012の装置。
[本発明1023]
ジャイロスコープおよび加速度計のうちの少なくとも1つからのモーションセンサデータを含む、ゴルフクラブのフェースに対するゴルフボールのインパクトから生成されたデータを、コンピューティングデバイスによって受信する段階、
該モーションセンサデータをフィルタリングすること、およびフィルタリングされたモーションセンサデータから応答スペクトルを生成することを含む、該インパクトデータの分析を、コンピューティングデバイスによって行い、ゴルフボールとゴルフクラブのフェースとの間のインパクトの1つまたは複数の特性を決定する段階、ならびに
ゴルフクラブのフェース上のゴルフボールのインパクト位置を明示する出力を生成する段階
を含む方法。
[本発明1024]
インパクトデータの分析が、応答スペクトルをゴルフクラブフェース上の第1の位置のための第1の参照応答スペクトルと比較することを更に含む、本発明1023の方法。
[本発明1025]
インパクトデータの分析が、応答スペクトルが第1の参照応答スペクトルに合致しないと決定されると該応答スペクトルをゴルフクラブフェース上の第2の位置のための第2の参照応答スペクトルと比較することを更に含む、本発明1024の方法。
[本発明1026]
応答スペクトルを第1の参照応答スペクトルと比較することが、該応答スペクトルの周波数ピークの振幅を第1の参照応答スペクトルの周波数ピークの振幅と比較することを含む、本発明1024の方法。
[本発明1027]
第1の参照応答スペクトルが、ゴルフボールを打つために使用されるゴルフクラブのタイプおよびゴルフボールを打つために使用されるゴルフクラブのモデルのうちの少なくとも1つに基づいて、複数の第1の参照応答スペクトルから選択される、本発明1026の方法。